(57)【要約】【課題】  従来のＣＲＴ型デジタルテレビにおいては、新規設計をするたびに、アナログブロック用基板とデジタルブロック用基板の全ての設計見直しが図られてきことから、開発工数や基板の金型製作費などが負担となっていた。このような課題を解消する効率的な基板構成技術を提供する。【解決手段】  前記アナログブロック用基板１０とＣＲＴ基板１１の基板構成を固定して複数のデジタルブロック用基板１２と共用可能とすることで、アナログブロック用基板の開発費を抑え、デジタルブロック用基板の開発に特化を可能とし、開発コスト、量産コストを抑えるとともに、基板構成においても、ＣＲＴ基板１１をアナログブロック用基板１０の外に配置して形成し、空孔エリア１１ａをなくし、アナログブロック用基板１０の小型化を可能としたＣＲＴ型デジタルテレビ。【選択図】      図１
2005286968.tif 000002
【特許請求の範囲】
【請求項１】
第１の基板であるアナログブロック用基板には、全てのブロックに電源を供給するパワーブロックのほかに、偏向系ブロック、サウンドアンプブロック、及びオペレーションブロックを配置してあり、ＣＲＴ基板である第２の基板と共に、ＣＲＴ型デジタルテレビの設定機能ごとに設計され、又は選ばれる第３・４・５・・・のデジタルブロック用基板などに対して、該第１の基板、及び該第２の基板を共通に組み合わせて基板構成をすることを特徴とするＣＲＴ型デジタルテレビ。
【請求項２】
第３・４・５・・・の基板で多層基板からなる略矩形のデジタルブロック用基板は、アナログ信号処理ブロック、及びデジタル制御ブロック、ＭＰＥＧブロック、復調ブロック、デジタル／アナログチューナなどを適宣配置し、これを第１の基板、及び第２の基板と組み合わせて基板構成をすることを特徴とする請求項１項記載のＣＲＴ型デジタルテレビ。
【請求項３】
前記第１の基板であるアナログブロック用基板は略Ｌ字型に形成し、該第１の基板に隣接するように小型で略矩形に形成した前記ＣＲＴ基板を第２の基板として、これを１組と成すように配置され、これと対角線上に向かい合わせた該第１の基板と該第２の基板による別の１組とを、１対と成すように１枚の片面基板上に配置して形成し、各々の基板は１枚の該片面基板から切り離して、１台のＣＲＴ型デジタルテレビにつき第１の基板と第２の基板をそれぞれ１枚ずつ用いて基板構成することを特徴とする請求項１項、又は２項記載のＣＲＴ型デジタルテレビ。
【発明の詳細な説明】
【技術分野】
【０００１】
本発明は、ＣＲＴ型のデジタルテレビにおいて、アナログブロック用基板、ＣＲＴ基板、及びデジタルブロック用基板の機能配分や基板構成などを工夫して効率化し、開発コスト、製造コストを引き下げることを可能とするＣＲＴ型デジタルテレビの基板構成技術に関する。
【背景技術】
【０００２】
従来、図６のようにアナログブロック用基板１０と、陰極線管（以下、ＣＲＴと略称する）基板１１は、アナログブロック用基板スペースの中にＣＲＴ基板１１が配置され、形成されている。したがって各々の基板は電子部品が実装された後、ＣＲＴ基板１１をアナログブロック用基板１０から切り抜いてＣＲＴ型デジタルテレビに取り付けられている。これにより、アナログブロック用基板１０からみれば、切り抜かれた場所は電子部品が実装できない空孔エリア１１ａとなる。それに実際にはアナログブロック用基板１０の面積には空孔エリア１１ａを含むため、ＣＲＴ基板１１の面積分だけ、見かけの基板面積を広く要していた。
【０００３】
このアナログブロック用基板１０には、併設されるデジタルブロック用基板１２などを含む全てのブロックに電源を供給するためのパワーブロック１４が配置され、受信したアナログ信号を中間周波の信号に変換して出力するアナログチューナ２４ａ、ビデオ信号を処理するアナログ信号処理ブロック１９、オーディオ信号を増幅するサウンドアンプブロック１６、及びＣＲＴに高圧を供給すると共にＣＲＴの電子ビームを偏向させる偏向系ブロック１５が、さらに、視聴者が操作する本体キー（ｋｅｙ）や、リモコン受光部を配置するオペレーションブロック１７、併設されるデジタルブロック用基板１２に配置されたデジタル制御ブロック２１との通信、及びアナログ回路の全ブロックを制御するアナログ制御ブロック２０が配置されている。
【０００４】
図６についてさらに説明を加える、前記アナログブロック用基板１０に併設されるデジタルブロック用基板１２には、アナログ制御ブロック２０との通信とエムペグ（Ｍｏｖｉｎｇ  Ｐｉｃｔｕｒｅ  Ｅｘｐｅｒｔｓ  Ｇｒｏｕｐの略、動画や音声を圧縮伸張する、以下、ＭＰＥＧと略称する）  ブロック２２の制御を行うデジタル制御ブロック２１、及び復調ブロック２３からのＭＰＥＧ  Ｔｒａｎｓｐｏｒｔ  Ｓｔｒｅａｍ（以下、ＴＳと略称する）信号をアナログ信号に変換するＭＰＥＧブロック２２、デジタル放送の中間周波（以下、ＩＦと略称する）信号をＭＰＥＧ  ＴＳ信号に復調する復調ブロック２３、受信したデジタル信号を中間周波の信号に変換して出力するデジタルチューナ２４ｂが１枚の多層基板上に配置されている。
【０００５】
前記の構成による従来のＣＲＴ型デジタルテレビでは、概ねアナログブロック用基板１０とＣＲＴ基板１１に、デジタルブロック用基板１２が１組として構成されており、ＣＲＴ型デジタルテレビの１機種を設計するごとにアナログブロック用基板１０、ＣＲＴ基板１１、及びとデジタルブロック用基板１２の全てを設計し、最適仕様を目指す努力がなされるとともに、開発工数や金型費用などを出来るだけ省くため、可能な限り１枚の基板上に複数の機能バリエーションが可能なように予備の配線回路が形成されていた。しかし今後、テレビ用マイコンやアナログの信号処理部分がＭＰＥＧ  ＩＣに取り込まれてゆくことをなどデジタル系電子部品類の技術革新を考慮すると、前記、従来の基板構成ではＭＰＥＧ  ＩＣの機能の進歩に応じて、言い換えればＭＰＥＧ  ＩＣを変更する度ごとに、アナログブロック用基板を含む全ての基板の設計をやり直す必要が生じた。
【０００６】
このようなデジタルテレビの基板構成に関する従来技術が特許文献１、及び特許文献２などによって開示されている。
【０００７】
【特許文献１】特開２００３−６１００９号公報
【特許文献２】特開２０００−２９９５７６号公報
【発明の開示】
【発明が解決しようとする課題】
【０００８】
これらの構成から、従来のＣＲＴ型デジタルテレビにおいては、定期的設計見直しや新規設計する場合、ＭＰＥＧ  ＩＣなど、デジタル回路用の主要部品の技術革新による仕様変更に対応して、その都度、アナログブロック用基板、ＣＲＴ基板とデジタルブロック用基板の全ての設計見直しを図り最適設計をする努力がなされてきた。また、開発工数や金型費用などを出来るだけ省くため、可能な限り１枚の基板上に複数の機能バリエーションが可能なように予備の配線回路が形成されていた。しかし、今後コストダウンを目的にテレビ用マイコンやアナログの信号処理機能部分がＭＰＥＧ  ＩＣに取り込まれてゆくことなどを考慮すると、前記、従来の基板構成ではＭＰＥＧ  ＩＣなどを変更する度ごとに、今以上の頻度でアナログ回路を含む基板の全ての設計をやり直す必要が予測されるに至った。したがって、新規基板の開発工数、及び基板の金型製作費用がさらに嵩むことが予測され、また、新規の基板構成に対応して電子部品の実装装置のプログラム変更などの作業も必要となり、基板の変更に伴う段取り替えの工数も負担となるといった課題を有していた。
【０００９】
また、従来のＣＲＴ型デジタルテレビにおける基板構成においては、ＣＲＴ基板１１は図６のように、アナログブロック用基板１０の一部を切り抜く形で形成されていた。この結果、アナログブロック用基板内の基板構成からみれば切り抜かれた場所は電子部品が実装できない空孔エリア１１ａとなる。それに実際にはアナログブロック用基板１０の面積には前記空孔エリア１１ａを含むため、ＣＲＴ基板１１の面積分だけ、見かけの基板面積を広く要していた。一般的なＣＲＴ型アナログテレビにおいてもＣＲＴ基板１１の大きさは決して無視できるものではなく、例えば２４インチ型のＣＲＴ型アナログテレビにおいては概ね５．５ｃｍ×７ｃｍ位の面積を占めている。こうした背景から、ＣＲＴ型デジタルテレビ筐体内においては、コンパクト配置を目的とする基板構成上に無駄なスペースが生じるといった課題を有していた。
【課題を解決するための手段】
【００１０】
本発明は、上記課題に鑑みてなされたもので、ＣＲＴ型デジタルテレビの基板構成に関して、技術の躍進に伴い今後も頻繁に仕様変更が予測されるデジタルブロック用基板と、すでに技術的に完成されているアナログブロック用基板、及びＣＲＴ基板を機能的に分け、アナログブロック用基板とＣＲＴ基板は仕様を固定し、各種のデジタルブロック用基板との組み合わせ自由な共通基板としての役割を持たせてアナログブロック用基板、及びＣＲＴ基板を効率的に使用可能とし、今後頻繁に設計変更が必要とされる可能性が高いデジタルブロック用基板側に開発設計を絞ることで、開発の工数及び基板の金型代を削減し、これらの管理負担を軽くする手段を提供することを目的とするとともに、併せて片面基板であるアナログブロック用基板とＣＲＴ基板の基板配置を工夫することでアナログブロック用基板の面積を削減することを目的としている。
【００１１】
本発明の請求項１において、第１の基板であるアナログブロック用基板には、全てのブロックに電源を供給するパワーブロックのほかに、偏向系ブロック、サウンドアンプブロック、オペレーションブロックを配置してあり、ＣＲＴ基板である第２の基板と共に、ＣＲＴ型デジタルテレビの設定機能ごとに設計され、または選ばれて組み合わせられる第３・４・５・・・のデジタルブロック用基板などに対して共通に組み合わせて基板構成することを特徴とする。
【００１２】
本発明の請求項２の、第３・４・５・・・の基板で多層基板からなる略矩形のデジタルブロック用基板は、アナログ信号処理ブロック、及びデジタル制御ブロック、ＭＰＥＧブロック、復調ブロック、デジタル／アナログチューナなどを適宣配置し、これを第１の基板、及び第２の基板と組み合わせて基板構成をすることを特徴とする。
【００１３】
本発明の請求項３の、第１の基板であるアナログブロック用基板は略Ｌ字型に形成し、該第１の基板に隣接するように小型で略矩形に形成したＣＲＴ基板を第２の基板として、これを１組みと成すようにして配置され、これと対角線上に向かい合わせた該第１の基板と該第２の基板による別の１組みとを、１対と成すように１枚の片面基板上に配置して形成し、各々の基板は１枚の該片面基板から切り離して１台のＣＲＴ型デジタルテレビにつき第１の基板と第２の基板を１枚ずつ用いて基板構成することを特徴とする。
【発明の効果】
【００１４】
本発明の請求項１の構成により、第１の基板、第２の基板が固定され共通化されることで、第３・４・５・・・の基板で多層基板からなる略矩形のデジタルブロック用基板は、アナログ信号処理ブロック、及びデジタル制御ブロック、ＭＰＥＧブロック、復調ブロック、デジタル／アナログチューナなどを適宣配置するなど開発の的が大きく絞られ開発の効率、及び製造の効率が向上し、従来のように高価な金型をアナログブロック用基板とデジタルブロック用基板の両方とも同時に作る必要もなくなり、開発工数や金型費用、電子部品の実装装置のプログラム変更など基板の変更に伴う段取り替えの工数などの費用を削減し、トータルコストの引き下げに貢献できる。
【００１５】
また、第１の基板であるアナログブロック用基板、及び第２の基板であるＣＲＴ基板は配線回路が固定され、ここに搭載される電子部品も概ね統一されることで、これと組み合わせられる請求項２の構成のデジタルブロック用基板の開発に特化することが可能となる。これにより、従来はＣＲＴ型デジタルテレビの１機種を設計するにあたり、アナログブロック用基板とデジタルブロック用基板の両方に対して複数の機能バリエーションが可能なように予備の配線回路が用意されていたが、本発明の基板構成技術によれば、少なくともデジタルブロック用基板のみに予備の配線回路が用意されればよく、アナログブロック用基板上の予備の配線回路が占める面積が削減されるとともに、アナログブロック用基板側の基板構成が固定化されることでデジタルブロック用基板の基板構成もシンプル化が可能となることから、高価な多層基板で形成されるデジタルブロック用基板は小型化でき、組立作業も容易にすることが可能となる。
【００１６】
本発明の請求項３の構成により、略Ｌ字型に形成したアナログブロック用基板を第１の基板とし、ＣＲＴ基板を第２の基板として、第１の基板と第２の基板は隣接して配置され、これと対角線上に向かい合わせて該第１の基板と該第２の基板を配置して１対と成すように片面基板上に配置して形成し、各々の基板は１枚の該片面基板から切り離して１台のＣＲＴ型デジタルテレビにつき該第１の基板と該第２の基板を１枚ずつ使用可能とすることで、図６の従来の構成に見られるアナログブロック用基板上にＣＲＴ基板を切り抜いた空孔エリアがなく、該空孔エリア分だけアナログブロック用基板の小型化が実現し、組立作業も容易となる。また、アナログブロック用基板の略Ｌ字型の凹部に、従来通り略矩形で形成される請求項３のデジタルブロック用基板を隣接した組み合わせ配置が可能となり、ＣＲＴ型デジタルテレビ筐体内における平面上の基板占有面積も少なく抑えることが可能となり、各々の基板配置も自由度を増すことが可能となる。
【発明を実施するための最良の形態】
【００１７】
以下、添付図面を参酌しながら、本発明を実施するための最良の形態としての実施例を説明する。図４においては、第１の基板である略Ｌ字型をしたアナログブロック用基板１０と、第１の基板の略Ｌ字型の凹部に配置したＣＲＴ基板１１を第２の基板として、第１の基板と第２の基板は隣接して配置され、これと対角線上に向かい合わせて相似形に該第１の基板と該第２の基板をもう１組み配置して、１対と成すように片面基板上に配置して形成し、各々の基板は１枚の該片面基板から切り離して１台のＣＲＴ型デジタルテレビにつき１枚ずつ使用可能とする。
【００１８】
これにより、従来の構成に見られるアナログブロック用基板上にＣＲＴ基板を切り抜いた空孔エリア１１ａがなく、空孔エリア分だけアナログブロック用基板１０の外形を減らすことが可能となる。例えば２４インチ型のＣＲＴ型デジタルテレビにおいては概ね５．５ｃｍ×７ｃｍ位がＣＲＴ基板１１の面積であり、この面積が空孔エリア１１ａとならない分としてアナログブロック用基板１０の外形寸法から減らすことが可能となる。また、図１においては、略Ｌ字型の片端が細長く伸びており、ここにＣＲＴ型デジタルテレビのオペレーションブロック１７を配置することで、視聴者が操作する本体キーや、リモコン受光部を横長に幅広く配置が可能となり、ＣＲＴ型デジタルテレビ前面に配置されるキー（図示略）の操作性が向上する。また、略Ｌ字型の凹部は懐が深く、ここにデジタルブロック用基板１２を効率よく配置可能となる。
【００１９】
図１においては、汎用機種でアナログ部分の処理が小さい場合のＣＲＴ型デジタルテレビに関する基板構成であり、アナログブロック用基板１０、及びＣＲＴ基板１１を共通化し、これと組み合わせられるデジタルブロック用基板１２との基板構成についての一実施例である。多層基板に配置された第３の基板であるデジタルブロック用基板１２にはビデオ信号を処理するアナログ信号処理ブロック１９、及び前記アナログ信号処理ブロック１９との通信とＭＰＥＧブロック２２の制御を行うデジタル制御ブロック２１、及び復調ブロック２３からのＭＰＥＧ  ＴＳ信号をアナログ信号に変換するＭＰＥＧブロック２２、デジタル放送のＩＦ信号をＭＰＥＧ  ＴＳ信号に復調する復調ブロック２３、受信したデジタルとアナログ信号を中間周波の信号に変換して出力するデジタル／アナログチューナ２４を配置している。
【００２０】
以上のように、本発明の実施例においては、前記アナログブロック用基板１０とＣＲＴ基板１１の基板構成を固定することで、該アナログブロック用基板の開発費用などが省けることにより、従来では開発経費が高くつくため敬遠されがちであったデジタル基板構成のバリエーションを広げることが可能となる。また、汎用機種でアナログ部分の処理が小さい本実施例のＣＲＴ型デジタルテレビの基板構成においては、アナログ信号処理能力が小さ目で比較的汎用性に優れたアナログ信号処理ブロック１９をデジタルブロック用基板１２に配置して、基板上の電子部品コストを引き下げるとともに、基板実装の効率を確保可能とする。
【００２１】
図２においては、アナログブロック用基板１０、及びＣＲＴ基板１１を共通化し、これと組み合わせられるデジタルブロック用基板１２との基板構成についての別の一実施例である。第４の基板であるデジタルブロック用基板１２には、後述する第５の基板に配したアナログ信号処理ブロック１９との通信、及びＭＰＥＧブロック２２の制御を行うデジタル制御ブロック２１、及び復調ブロック２３からのＭＰＥＧ  ＴＳ信号をアナログ信号に変換するＭＰＥＧブロック２２、デジタル放送のＩＦ信号をＭＰＥＧ  ＴＳ信号に復調する復調  ブロック２３を配置し、さらに第５の基板としてビデオ信号を処理するアナログ信号処理ブロック１９と受信したデジタルとアナログ信号を中間周波の信号に変換して出力するデジタル／アナログチューナ２４で構成されるＣＲＴ型デジタルテレビの基板構成である。この基板構成は音響性能を重視した仕様付きなどアナログ処理機能を重視したものであり、アナログ信号処理ブロック１９を高価な多層基板であるデジタルブロック用基板上に拡大することは控え、デジタル／アナログチューナ２４と共に、安価な片面基板で第５の基板に配置したものである。これにより音響を重視するマニア向けのＣＲＴ型デジタルテレビを安価に提供することを可能とする。
【００２２】
また、付随的な効果であるが、本実施例の図３においては、近い将来、ＭＰＥＧブロック２２を構成するＭＰＥＧ  ＩＣがアナログ処理機能を内蔵することを想定した基板構成の一実施例である。本発明により共通化して組み合わせ可能なアナログブロック用基板１０、及びＣＲＴ基板１１と、これと組み合わせられる第６の基板であるデジタルブロック用基板１２には、後述のアナログ信号処理機能を取り込んだＭＰＥＧブロック２２との通信、及びＭＰＥＧブロック２２の制御を行うデジタル制御ブロック２１、及びアナログ処理機能を内蔵したＭＰＥＧ  ＩＣを搭載したＭＰＥＧブロック２２、デジタル放送のＩＦ信号をＭＰＥＧ  ＴＳ信号に復調する復調ブロック２３、受信したデジタルとアナログ信号を中間周波の信号に変換して出力するデジタル／アナログチューナ２４を配置、これを第１の基板、及び第２の基板と組み合わせて基板構成をする。このようにＭＰＥＧ  ＩＣにアナログ処理機能を内蔵した場合は、アナログ信号処理ブロックは不要となり多層基板で作られる第６の基板は第３の基板より面積の縮小を可能とする。
【００２３】
以上、本実施例を詳述したが、本発明は、前記実施例に限定されるものではなく、本発明の要旨の範囲内で種々の変形実施が可能である。例えば、片面基板で形成しアナログチューナとアナログ信号処理ブロックを配置した第７の基板（図示略）を、アナログブロック用基板である第１の基板とＣＲＴ基板である第２の基板とに組み合わせてＣＲＴ型アナログテレビとすることも可能である。また、略Ｌ字型の第１の基板であるアナログブロック用基板の略Ｌ字型の片端側に第２の基板であるＣＲＴ基板を配置し、これと対角線上に向かい合わせて相似形に該第１の基板と該第２の基板をもう１組み配置して、１対と成すように片面基板上に配置（図示略）して形成するなど前記実施例に限定されるものではなく、適宜選定すればよい。
【図面の簡単な説明】
【００２４】
【図１】本発明の一実施例を示す汎用機種で、アナログ部分の処理が小さい場合のＣＲＴ型デジタルテレビの基板構成を示す説明図である。
【図２】本発明の一実施例を示す音響性能を重視した仕様付きなど、アナログ処理機能を重視したＣＲＴ型デジタルテレビの基板構成を示す説明図である。
【図３】本発明の一実施例を示すＭＰＥＧ  ＩＣにアナログ処理機能を内蔵した場合のＣＲＴ型デジタルテレビの基板構成を示す説明図である。
【図４】本発明の一実施例を示すアナログブロック用基板とＣＲＴ基板を片面基板上に配置したＣＲＴ型デジタルテレビの基板構成を示す説明図である。
【図５】本発明の一実施例を示すデジタルブロック用基板を多層基板上に配置したＣＲＴ型デジタルテレビの基板構成を示す説明図である。
【図６】従来のＣＲＴ型デジタルテレビの基板構成を示す説明図である。
【符号の説明】
【００２５】
１０  アナログブロック用基板
１１  ＣＲＴ基板
１２  デジタルブロック用基板
１４  パワーブロック
１５  偏向系ブロック
１６  サウンドアンプブロック
１７  オペレーションブロック
１９  アナログ信号処理ブロック
２１  デジタル制御ブロック
２２  ＭＰＥＧブロック
２３  復調ブロック
２４  デジタル／アナログチューナ
【図１】
2005286968.tif 000003
【図２】
2005286968.tif 000004
【図３】
2005286968.tif 000005
【図４】
2005286968.tif 000006
【図５】
2005286968.tif 000007
【図６】
2005286968.tif 000008